Podtech/llm-jp-corpus-v4-ja_patent huggingface dataset:
(57)【要約】【課題】壁紙を剥がす作業は、利き手で持ったスクレッパー等で、めくった部分を逆の手でつかみ取り、剥がすという両手を使う作業である。高所での両手作業はバランスを崩す危険を伴う。  本発明は、壁紙を容易に剥がすための、挟みゴム付きスクレッパーを提供する。【解決手段】柄と刃受け部から成る通常のスクレッパーにおいて、柄の先端部に取り付けバンドを設け、取り付けバンドに刃受け部根本を、左右から挟む位置に支点を設け、支点を介して連結させた、アームとレバーにおいてレバーは、柄の下側手前方向に伸び、アームは柄の上側刃受け部先端まで伸び、アーム先端は、刃元部と平行に半円筒状の挟みゴムを設ける。【選択図】図１
2011094464.tif 000002
【特許請求の範囲】
【請求項１】
柄と刃受け部から成る通常のスクレッパーにおいて、柄の先端部に取り付けバンドを設け、取り付けバンドの刃受け部根元を左右から挟む位置に、支点を設け、支点を介して連結させたアームとレバーにおいて、レバーは柄の下側手前方向に伸び、アームは、柄の上側刃受け部先端まで伸びており、アーム先端は、刃元部と平行で、半円筒状の挟みゴムが設けられていることを特徴とする壁紙剥がし用挟みゴム付きスクレッパー。
【発明の詳細な説明】
【技術分野】
【０００１】  本発明は、内装工事において、壁紙を剥がす際の補助具に、関するものである。
【背景技術】
【０００２】  従来、壁紙を剥がすには、カッターやスクレッッパー等で壁紙をめくり、その部分を手でつかみ取り、剥がしていた。
【発明の概要】
【発明が解決しようとする課題】
【０００３】  壁紙を剥がす作業は、利き手で持ったスクレッパー等で、めくった部分を逆の手でつかみ取り剥がさねばならず、高所においても両手を使う作業であった。
本発明は、以上の問題を解決するためになされたものである。
【課題を解決するための手段】
【０００４】  柄と刃受け部から成る通常のスクレッパーにおいて，柄の先端部に取り付けバンドを設ける。取り付けバンドの、刃受け部根元を左右から挟む位置に、支点を設ける。支点を介して連結させたアームとレバーにおいて、レバーは柄の下側手前方向に伸び、アームは、柄の上側刃受け部先端まで伸びている。アーム先端は、刃元部と平行で、半円筒状の挟みゴムが設けられている。
【発明の効果】
【０００５】  めくった壁紙を、つかみ取り剥がすという従来両手で行っていた作業を片手で出来、なお、剥がせる面積も指でつまむより広く取ることができる。
また高所での作業において、バランスを崩す危険も予防できる。
【図面の簡単な説明】
【０００６】
【図１】本発明の斜視図
【図２】本発明の側面図
【発明を実施するための形態】
【０００７】  以下、本発明の実施の形態を説明
（イ）スクレッパー（１）の柄（２）の先端部に取り付けバンド（３）を通し固定する        。
（ロ）レバー（４）が支点（５）を介してアーム（６）とつながる。
（ハ）アーム（６）は柄（２）の上側刃受け部（１０）先端まで伸びる。
（ニ）アーム（６）先端は刃元部（９）と平行で、半円筒状の挟みゴム（７）が設けら        れている。
【符号の説明】
【０００８】  （１）スクレッパー  （２）柄  （３）取り付けバンド  （４）レバー  （５）支点  （６）アーム
（７）挟みゴム  （８）刃  （９）刃元部  （１０）刃受け部
【図１】
2011094464.tif 000003
【図２】
2011094464.tif 000004
(57)【要約】【課題】密閉型回転式圧縮機の組立工程におけるボルト締付による軸受端面歪みを抑制するものである。【解決手段】主軸端板および補助軸端板の端面の仕上げ加工を行う際に、ボルト締結部に軸力を加えた状態で仕上げ加工を行うことにより主軸端板および補助軸端板のボルト締結時の歪みを除去するものである。これによって、再度、正規の主軸端板および補助軸端板をボルトにて締結しても、端面の歪みを抑制し、信頼性の高い密閉型回転式圧縮機を提供することができるものである。【選択図】図１
2011094485.tif 000002
【特許請求の範囲】
【請求項１】
シリンダと、これを狭持して圧縮空間を形成する主軸端板をそれぞれボルトにて固定する密閉型回転式圧縮機の製造方法であって、前記主軸端板のボルト締結部に軸力をかけた状態で主軸端板の端面仕上げ加工を行うことを特徴とする密閉型圧縮機の製造方法。
【請求項２】
シリンダと、これを狭持して圧縮空間を形成する補助軸端板を、それぞれボルトにて固定する密閉型回転式圧縮機の製造方法であって、前記補助軸端板のボルト締結部に軸力をかけた状態で補助軸端板の端面仕上げ加工を行うことを特徴とする密閉型圧縮機の製造方法。
【請求項３】
シリンダと、これを狭持して圧縮空間を形成する補助軸端板を、それぞれ通しボルトにて固定する請求項１または請求項２記載の密閉型圧縮機の製造方法。
【発明の詳細な説明】
【技術分野】
【０００１】
本発明は、空気調和装置や冷凍機器に使用される密閉型回転式圧縮機の製造方法に関し、圧縮要素を組立締結する際に、主軸端版および補助軸端板の歪を発生させずにボルトの締結を実現するものである。
【背景技術】
【０００２】
従来のロータリー型の圧縮機では、主軸端板とシリンダはボルトを用いて締結されている。図２に従来のロータリー型圧縮機の縦断面図を示す。図２に示すように、密閉容器の内部に圧縮機構を駆動する電動機が固定され、この電動機に圧縮機構を駆動するクランク軸が結合されている。
【０００３】
圧縮機構は、クランク軸によって駆動されるローラと、ローラを収納する円筒状気筒であるシリンダと、ローラに当接してシリンダ内を仕切る仕切り板、およびシリンダの両端面を保持する軸端板により構成されている。端板は主軸端板及び補助軸端板からなり、クランク軸を保持し、かつ軸受けとしての機能も兼ね、圧縮機構をはさみ込むように配設され、主軸端板の外周で密閉容器に溶接固定されている。
【０００４】
シリンダには吸入孔が具備され、吸入孔に圧入された吸入接続管より圧縮するガスをシリンダ内に導く。また、主軸端板と補助軸端板はシリンダに設けられたネジ部にボルトを用いて締結されている。
【先行技術文献】
【特許文献】
【０００５】
【特許文献１】特開２００６−２３３８８３号公報
【発明の概要】
【発明が解決しようとする課題】
【０００６】
しかしながら、前記従来の構成ではシリンダと主端版をボルトによって締結するため主軸端版および補助軸端板に締結力が加わり、歪が発生してしまうという課題を有していた。本発明は、このような従来の課題を解決するものであり、主軸端板および補助軸端板の端面仕上げ加工を行う際、ボルト締結部分に軸力をかけ歪ませた状態で仕上げ加工を行うことで、ボルトの締結による主軸端板および補助軸端板の端面歪みを抑制した密閉型圧縮機の製造方法を提供することを目的とする。
【課題を解決するための手段】
【０００７】
前記従来の課題を解決するため、本発明の密閉型圧縮機の製造方法は、主軸端板および補助軸端板の端面を仕上げる際に、ボルト締結部に軸力をかけた状態で仕上げ加工を行うものである。これによって、ボルトの締付けによる主軸端板および補助軸端板の歪みは除去され、正規の主軸端板および補助軸端板をボルトにて締め付けても、主軸端板および補助軸端板の歪みは抑制することができる。
【発明の効果】
【０００８】
本発明の密閉型圧縮機の製造方法は、主軸端板および補助軸端板の歪みを抑制することができ、信頼性の高い密閉型圧縮機を提供することができる。また、最小隙間寸法をより小さくしても、主軸端板および補助軸端板とローラの干渉を防止することができ、圧縮行程中のガスがローラと主軸端板および補助軸端板との隙間を通して吸入行程に漏れ込む量を削減し、圧縮機運転時の圧縮効率の向上を図ることができる。
【図面の簡単な説明】
【０００９】
【図１】本発明の実施の形態１における密閉型圧縮機の部分断面図
【図２】従来の圧縮機の縦断面図
【発明を実施するための形態】
【００１０】
以下本発明の実施の形態について、図面を参照しながら説明する。なお、以下に記載する実施の形態により本発明が限定されるものではない。
【００１１】
（実施の形態１）
図１は圧縮機構部の断面図であり、主軸端板および補助軸端板を複数のボルトにて締結したもので、主軸端板および補助軸端板端面が歪んでいることを示す。
【００１２】
主軸端板および補助軸端板の端面仕上げ加工時にボルト部分に軸力をかけた状態で主軸端板および補助軸端板の端面仕上げ加工を実施することにより、ボルト締結による歪を除去するものである。
【００１３】
上記の構成によれば、主軸端板および補助軸端板をボルト締結しても主軸端板および補助軸端板の端面歪みを抑制することができ、信頼性の高い密閉型圧縮機を提供することができる。
【００１４】
また、最小隙間寸法をより小さくしても、シリンダ内径とローラの干渉を防止することができ、圧縮行程中のガスがローラとシリンダ内径との隙間を通して吸入行程に漏れ込む量を削減し、圧縮機運転時の圧縮効率の向上を図ることができる。
【産業上の利用可能性】
【００１５】
以上のように、本発明にかかる密閉型圧縮機の製造方法は、シリンダ内壁の歪みを抑制できるので、単気筒の密閉型圧縮機の製造ばかりではなく、多気筒の密閉型圧縮機の製造等の用途にも適用できる。
【符号の説明】
【００１６】
１    密閉容器
２    電動機
３    シリンダ
４    主軸端板
５    補助軸端板
６    ボルト
【図１】
2011094485.tif 000003
【図２】
2011094485.tif 000004
(57)【要約】【課題】  棚に穴を開けることなく、かつシールを貼ることもなく、棚の側壁に物を掛ける部分を提供する。【解決手段】  棚の棚板と側壁のなす面に引っ掛ける部分（引っ掛け部１）と、側壁の外側に物を掛ける部分（引っ掛け部２）があり、引っ掛け部１と引っ掛け部２が所定の間隔をおいて接続部で結合する構造が特徴のハンガー。【選択図】図１
2011200620.tif 000002
【特許請求の範囲】
【請求項１】
棚の棚板と側壁のなす面に引っ掛ける部分（引っ掛け部１）と、側壁の外側に物を掛ける部分（引っ掛け部２）があり、引っ掛け部１と引っ掛け部２が所定の間隔をおいて接続部で結合する構造が特徴のハンガー。
【請求項２】
請求項１の引っ掛け部１は、棚板と側壁のなす２面に接する部分はそれぞれが平面或いは線、或いは点で支える構造が特徴のハンガー。
【請求項３】
請求項１の引っ掛け部２は、側壁の外面に接する部分は平面或いは線、或いは点で支える構造が特徴のハンガー。
【請求項４】
請求項２、請求項３を含む構造が特徴のハンガー。
【請求項５】
請求項１の引っ掛け部１は棚板と側壁のなす２面に接する部分はそれぞれが平面或いは線で支える構造が特徴のハンガー。
【請求項６】
請求項３、請求項５を含む構造が特徴のハンガー。
【請求項７】
請求項１の引っ掛け部２は、側壁の外面に接する部分は平面或いは線で支える構造が特徴のハンガー。
【請求項８】
請求項２、請求項７を含む構造が特徴のハンガー。
【請求項９】
請求項５、請求項７を含む構造が特徴のハンガー。
【請求項１０】
請求項１の引っ掛け部１は、棚板と側壁のなす２面に接する部分はそれぞれが平面で支える構造が特徴のハンガー。
【請求項１１】
請求項３、請求項１０を含む構造が特徴のハンガー。
【請求項１２】
請求項７、請求項１０を含む構造が特徴のハンガー。
【請求項１３】
請求項１の接続部は歪まない構造を持つハンガー。
【請求項１４】
請求項４、請求項１３を含む構造が特徴のハンガー。
【請求項１５】
請求項６、請求項１３を含む構造が特徴のハンガー。
【請求項１６】
請求項８、請求項１３を含む構造が特徴のハンガー。
【請求項１７】
請求項９、請求項１３を含む構造が特徴のハンガー。
【請求項１８】
請求項１１、請求項１３を含む構造が特徴のハンガー。
【請求項１９】
請求項１２、請求項１３を含む構造が特徴のハンガー。
【請求項２０】
請求項１３を含む結合部分は強度で硬質の構造を持つハンガー。
【請求項２１】
請求項４、請求項２０を含む構造が特徴のハンガー。
【請求項２２】
請求項６、請求項２０を含む構造が特徴のハンガー。
【請求項２３】
請求項８、請求項２０を含む構造が特徴のハンガー。
【請求項２４】
請求項９、請求項２０を含む構造が特徴のハンガー。
【請求項２５】
請求項１１、請求項２０を含む構造が特徴のハンガー。
【請求項２６】
請求項１２、請求項２０を含む構造が特徴のハンガー。
【発明の詳細な説明】
【技術分野】
【０００１】  本発明は、棚に穴を開けたりシールを貼らずに、物を引っ掛ける部分を提供できる棚用ハンガーに関するものである。
【背景技術】
【０００２】  従来、棚の側壁を使うことがあまり出来ない。
いざ鞄等を掛けようとすると市販のフックを買い、そのフック裏のシール部を棚の側壁に貼り、利用することはある。
【発明の概要】
【発明が解決しようとする課題】
【０００３】  従来より、次の問題点があった。
（イ）棚に、ネジタイプのフックで穴を開けたくない。
（ロ）棚に、シールタイプのフックを貼ると、いざシールを貼るときや剥がれた際化粧版が剥げて嫌である。
【課題を解決するための手段】
【０００４】  棚の棚板と側壁のなす面に引っ掛ける部分（引っ掛け部１）と、側壁の外側に物を掛ける部分（引っ掛け部２）があり、引っ掛け部１と引っ掛け部２が所定の間隔をおいて接続部で結合する構造が特徴のハンガー。
【発明の効果】
【０００５】  本発明は、棚に穴を開けることなく、かつシールを貼ることもなく、棚の側壁に物を掛ける部分を提供する。
【図面の簡単な説明】
【０００６】
【図１】本発明の斜視図
【図２】本発明の使用状態を示す斜視図
【発明を実施するための形態】
【０００７】  例について説明すると、一本の強度あるまっすぐな金棒で棚の奥行きよりやや短めの引っ掛け部（１）を作り、そのまま棚の側壁の厚さより大きく曲げてこれを接続部（３）として、そのまま引っ掛け部（１）とほぼ同じ長さで平行な引っ掛け部（２）を作る。Ｕ字型の鉄棒が出来る。
使用するときは、引っ掛け部（１）を棚の棚板と側壁のなす面に引っ掛けて、引っ掛け部（２）は側壁の外側に配置する。引っ掛け部（２）は洋服用ハンガーを掛けたり、市販のフック等を利用すると鞄等も掛けられる。
【符号の説明】
【０００８】１  引っ掛け部１
２  引っ掛け部２
３  接続部
【図１】
2011200620.tif 000003
【図２】
2011200620.tif 000004
(57)【要約】【課題】  京団扇の骨群と柄との関係は、骨群が放射線状に組まれる事から骨群が密集する根元部分で大きな制約を受ける。本発明は骨群が密集する領域を根元から拡散させる組み方を供するもので、京団扇の新しい意匠展開を提供する。【解決手段】  骨群を放射線状に組む場合その放射線の起点を一点に設ける従来の組み方に対し、複数の骨其々の起点を直線上に骨どうしが重ならない様に設け、前述其々の起点より放射方向に配する事とする。【選択図】図２
2011200617.tif 000002
【特許請求の範囲】
【請求項１】
複数の骨其々の起点を直線上に骨どうしが重ならない様に設け、前述其々の起点より放射方向に配し、骨部分両面に薄膜を貼着し、団扇輪郭に打抜き、続いて形成された周縁を縁紙で囲繞し、柄を骨群の起点部に挿入した団扇の製作方法。
【請求項２】
複数の骨其々の起点を直線上に骨どうしが重ならない様に設け、前述其々の起点より放射方向に配し、骨部分両面に薄模を貼着し、団扇輪郭に打抜き、続いて形成された周縁を紙で囲繞し、骨群の起点部の当て紙と、当て紙上に嵌合糊着した柄とから成る団扇。
【発明の詳細な説明】
【技術分野】
【０００１】  本発明は、京団扇等の団扇とその製作方法に関する。
【背景技術】
【０００２】  京団扇とは一般的に差し柄構造の団扇を指す。真竹の骨を柄が取り付く部分（円弧）を起点に放射線状に形成し、両面に和紙を貼着して柄を差し込む構成を持つ。具体的には真竹の細竹（長方形の断面）を１本づつ放射線状に和紙の面上に糊付けし裏貼りを行う。次に表貼りが行われた後、ヘラを用いて団扇骨の際に筋をつける。次に周囲を切断し団扇の形に成型する。縁紙で囲繞すると共に柄挿入部分に適する当和紙等の重ね貼りを施して木製または竹製の柄を差し込み供するものである。
【発明が解決しようとする課題】
【０００３】  従来の骨群は柄が取り付く部分（円弧）を起点に放射線状に形成する事が基本となっている。しかし京団扇の場合放射線状に１００本近く在る骨を柄が取り付く部分に集める都合上、骨どうしが接する円弧状起点で大きな面積が生じる事となり、其れ等を強度を確保して柄部分が銜え込む構造とした場合にかなり肥大した取り付け部となってしまうといった構造上避けられない欠点を有していた。
【０００４】  京団扇の意匠的特徴は、団扇本体と柄の接合部分の銀杏の葉の様な形状に在る。それは伝統的な意匠であり定着した意匠として広く馴染まれているが、その部分で和の印象を強く感じ取られる事となり、今日の洋風生活の中に位置付けようとした時にどうしても違和感が生じてしまう。銀杏の葉の様な形状を有しない、和を意識させない巾の狭い直裁なデザインの柄実現の要望は強くあるものの、骨群の構造からそれに応える京団扇を作る事が出来なかった。
【課題を解決するための手段】
【０００５】  上述した課題を解決するため、本発明では従来採られてきた骨群の円弧状起点を廃し、団扇の中心直線上に骨どうしが重ならない様に１本１本づつずらしながら設け、各起点より放射方向に配する構造を採る。それによって柄が取り付く部分は巾方向で狭小化させることが可能となる。
【発明の効果】
【０００６】  上述したように本発明は、従来の京団扇では構造的に実現出来なかった直裁な細い巾の柄のデザインを可能とした。この事に依り和のイメージから離れたモダンな京団扇の創出が図れ、今日の生活の中に位置付けられ、海外市場をも視野に入れる商品開発が可能となる。
【図面の簡単な説明】
【０００７】
【図１】従来の京団扇の形状及び骨群の構造を示した平面図である。
【図２】団扇の中心線に沿って配される骨群の構造及び形状を示した平面図である。
【発明を実施するための形態】
【０００８】  以下、本発明の実施の形態を図１〜図２に基づいて説明する。
【０００９】  図１は、従来の京団扇の形状及び骨群の構造を示している。６を中心とする放射線状に配される各骨の起点が円弧状５に存在している。
【００１０】  図１に示される様に、柄は、骨どうしが接する円弧状起点５を銜え込む構造となり、銀杏の葉の様な肥大した取り付け部となってしまう。
【００１１】  図２は、団扇の中心線７に沿って配される骨群の起点８及び放射線状に配する骨群の構造を示している。
【００１２】  図２に示される様に、本発明の構造を採った場合、柄３の巾が狭小化される。
【実施例】
【００１３】  図２に示される骨群を採用する事に依り、従来から定着していた銀杏の葉の様な形状の柄では無い直裁な柄の採用が可能となる。従来の形状には和のイメージが強く在った為に今日のモダンインテリアに合わなかったが、本発明の構造を採ることでモダンな意匠が可能となる。柄部分を杉や竹といった既存の素材からチーク、メープルといった洋材とすることで更にモダンな意匠展開が可能となる。
【産業上の利用可能性】
【００１４】  和のアイテムとして旧いイメージで扱われる京団扇を、本発明の団扇とすることで、今日の生活に位置づける事が可能となる、新しい商品開発を促す契機となる。今日の生活環境にフィットする意匠であれば、実用品として日常使い易い場所に配することができる。その事で、エアコンや扇風機に頼らない、エコロジーのアイテムとして幅広い需要が期待される。更に上述の部分は日本に限らず世界的な課題でもある事から、京団扇の販売に於ける海外展開も期待される。
【符号の説明】１  薄膜
２  縁紙
３  柄
４  骨
５  円弧状骨の起点
６  放射線の中心
７  中心線
８  中心線に沿った骨の起点
【図１】
2011200617.tif 000003
【図２】
2011200617.tif 000004
(57)【要約】【課題】現在のワイシャツの主流は低価格の形状記憶（ノンアイロン）ワイシャツである。しかしながら、形状記憶（ノンアイロン）とは名ばかりで実際は家庭の主婦はアイロンかけを行っている。また、この不景気の時代において、家庭のクリーニング代の出費を少しでも抑えられればと考えた。【解決手段】ワイシャツの裾の部分と同一形状（大きさ）のクリップで裾を挟みぶらさげることにより、クリップの重みでワイシャツのしわがとれる。また、センター部分を重くすることにより、ワイシャツのボタン部分のしわがより伸びる、さらに空洞にワイシャツの裾をいれて調整することにより、ワイシャツのしわがきれいに伸びる【選択図】図１
2011200614.tif 000002
【特許請求の範囲】
【請求項１】
本商品は重さを利用したしわ伸ばし商品で、空洞にワイシャツの裾を通すことにより均等にワイシャツを引っ張ることができ、更に形をハンガー型にしフックをつけることにより、通常のハンガーとして使用でき、空洞はスラックスをかけることも可能で、中心部を重くすることにより、ワイシャツのセンターのボタン部分のしわも伸びやすく、両端に突起を付けたことによりツボ押し器としての使用も可能なしわとりハンガーである。
【発明の詳細な説明】
【技術分野】
【０００１】本発明は、ワイシャツのしわとりのハンガーに関するものである。
【背景技術】
【０００２】現在のワイシャツの主流は低価格の形状記憶（ノンアイロン）ワイシャツである。
しかしながら、形状記憶（ノンアイロン）とは名ばかりで実際は家庭の主婦はアイロンかけを行っている。そのような煩わしさを解消できないものかと今回考案に至った。【０００３】従来のアイロンかけ不要ハンガーはワイシャツのセットにいくつものステップが加わり非常に手間がかかり、実用的ではなかった。（例えば、特許文献１、参照）
【先行技術文献】
【特許文献】
【０００４】
【特許文献１】特開２００６−８７７８７
【特許文献２】特開２００９−２６１８６２
【特許文献３】実開平４−２７５
【発明の概要】
【発明が解決しようとする課題】
【０００５】以上に述べた従来のアイロンがけ不要ハンガーでは、いくつものステップが加わり、実際には使われにくいものであった。また、そのハンガーを使用しないときの収納場所も必要となっていた。【０００６】本発明はこのような従来の構成が有していた問題を解決しようとするものであり、いかに少ない作業ステップでワイシャツのしわを取るか、そして汎用性を持たせるかを目的としたものである。
【課題を解決するための手段】
【０００７】そして本発明は、上記目標を達成するため１ステップでのワイシャツのしわ伸ばしを可能にし、更に、汎用性をもたせハンガー型にすることにより、通常のハンガーとしても使用可能にしたことにより、使用しないときの置き場所に困らなくした。
さらに間を空洞にすることにより、ワイシャツの裾をバランスよく引っ張り目視できる。【０００８】また、センター部分を重くすることにより、もっともしわの気になるセンターのボタン部分がきれいに伸びる
【発明の効果】
【０００９】  上述したように、１ステップで、ワイシャツのしわを伸ばすとともに、スラックス掛けの空洞スペースを使用し、その間からワイシャツの裾を引っ張ることにより、バランスよくしわ伸ばしが可能である。【００１０】  また、通常のハンガーとしても使用でき、さらにハンガーの挟む部分の先に突起をつけて、ツボ押しとしても使用が可能である。
【図面の簡単な説明】
【００１１】
【図１】本発明の実施形態を示す外観図
【図２】本商品の外観図
【図３】本商品の断面図
【図４】本商品の使用例
【図５】本商品の使用例
【発明を実施するための形態】
【００１２】以下、本発明の実施の形態を図１〜６に基づいて説明する。
【００１３】図１においては、ワイシャツの裾を挟みその重みでしわがとれる。また、ハンガーの空洞の部分からワイシャツの裾を引っ張りバランスを取ることできれいに伸びる。
【００１４】図２においては、本商品の特徴を記載
両端の先は丸みを帯びさせ、ツボ押しにも使用でき、挟む面積を大きくして直線型＆丸みのある裾のどちらにも対応、空洞を作ることにより、ハンガー時はスラックス掛けとして、しわとり時は前述のバランス取り空洞として使用を可能にした。
また、センター部分を重くして、ワイシャツのセンター部分をきれいに伸ばせる。
【００１５】図３においては、ハンガーの断面図を２枚のハンガーが挟むようなイメージ。
【００１６】図４においては、裏技として逆さ干しでの提案。ワイシャツの重みで袖もよりきれいに伸びる。
【００１７】図５においては通常のハンガーとしても使用可能なので、既存の商品と違い、使用しないときが無いので、片づけがいらない。
【符号の説明】
【００１８】１．ツボ押し
２．空洞（スラックス掛け）
３．バネ
４．クリップ
５．洗濯竿挿入穴
【図１】
2011200614.tif 000003
【図２】
2011200614.tif 000004
【図３】
2011200614.tif 000005
【図４】
2011200614.tif 000006
【図５】
2011200614.tif 000007
(57)【要約】【課題】  本発明は、海辺での歩行や水遊び、ファッションなどのビーチサンダルを提供する。【解決手段】  シリコーンゴムの草履の足型（１）に、同素材で足の親指を入れるベルト（２）と足の他の指を入れるベルト（３）、かかと、ないしは足の甲にかけるベルト（４）を設け、足の親指を入れるベルト（２）、足の他の指を入れるベルト（３）、かかと、ないしは足の甲にかけるベルト（４）をすベて１本の輪状（５）にすることで耐久性の向上を図り、足の親指を入れるベルト（２）、足の他の指を入れるベルト（３）、かかと、ないしは足の甲にかけるベルト（４）に伸縮性のある素材を使うことで収納時の止め具にも応用し、草履の足型（１）表面に三角点の切れ目（６）を入れ、それぞれのベルト（２）、（３）、（４）を順に差し込んでいき鼻緒を設け、サンダル底（７）に少し厚めのシリコーンゴムの草履の足型（１）を１枚接着し、底部分とすることを特徴とする。【選択図】図１
2011200621.tif 000002
【特許請求の範囲】
【請求項１】
シリコーンゴムの草履の足型（１）に、同素材で足の親指を入れるベルト（２）と足の他の指を入れるベルト（３）、かかと、ないしは足の甲にかけるベルト（４）を設け、足の親指を入れるベルト（２）、足の他の指を入れるベルト（３）、かかと、ないしは足の甲にかけるベルト（４）をすベて１本の輪状（５）にすることで耐久性の向上を図り、足の親指を入れるベルト（２）、足の他の指を入れるベルト（３）、かかと、ないしは足の甲にかけるベルト（４）に伸縮性のある素材を使うことで収納時の止め具にも応用し、草履の足型（１）表面に三角点の切れ目（６）を入れ、それぞれのベルト（２）、（３）、（４）を順に差し込んでいき鼻緒を設け、サンダル底（７）に少し厚めのシリコーンゴムの草履の足型（１）を１枚接着し、底部分とすることを特徴としたビーチサンダル。
【発明の詳細な説明】
【技術分野】
【０００１】  本発明は、海辺での歩行や水遊び、ファッションなどのビーチサンダルに関するものである。
【背景技術】
【０００２】  従来、ビーチサンダルは海辺や川辺などで用いられ、大きくてかさ張るものだった。
なお、ファッション性を重視したもの、ビーチサンダル本体の大きさを半分にすることで軽量化させたものなどもある。（特許文献１参照）
【先行技術文献】
【０００３】
【特許文献１】  特開２００６−８１５６６号公報
【発明の概要】
【発明が解決しようとする課題】
【０００４】  運転を考えるとアクセルなどに引っかかりやすい履物は履かないのが普通であり、海に入った後も濡れた履物のまま乗車するのは躊躇される。
そのため、履物を２つ用意して海辺や川辺に出かけるのが通常であるが、従来のビーチサンダルでは大きくてかさ張り、収納性に乏しかった。
また、安全性を考えると足の裏は全体的に覆った方が怪我も少なく、水中でも簡単には脱げないような構造が必要である。
本発明は、以上の問題点を解決するためになされたものである。
【課題を解決するための手段】
【０００５】（イ）  シリコーンゴムの草履の足型（１）に、同素材で足の親指を入れるベルト（２）と足の他の指を入れるベルト（３）、かかと、ないしは足の甲にかけるベルト（４）を設ける。
（ロ）  足の親指を入れるベルト（２）、足の他の指を入れるベルト（３）、かかと、ないしは足の甲にかけるベルト（４）をすベて１本の輪状（５）にすることで耐久性の向上を図る。
（ハ）  足の親指を入れるベルト（２）、足の他の指を入れるベルト（３）、かかと、ないしは足の甲にかけるベルト（４）に伸縮性のある素材を使うことで収納時の止め具にも応用する。
（ニ）  草履の足型（１）表面に三角点の切れ目（６）を入れ、それぞれのベルト（２）、（３）、（４）を順に差し込んでいき鼻緒を設ける。
（ホ）  サンダル底（７）に少し厚めのシリコーンゴムの草履の足型（１）を１枚接着し、底部分とする。
以上のような構造よりなるビーチサンダル。
【発明の効果】
【０００６】  従来とてもかさ張る履物で、携帯性を持ち合わせていなかった。
本発明は履物を巻いて収納することで携帯性を重視し、気軽に持ち運ぶことを可能とした。
【図面の簡単な説明】
【０００７】
【図１】  本発明の左足のビーチサンダルを示した斜視図である。
【図２】  本発明の左足のビーチサンダルの裏を示した斜視図である。
【図３】  本発明の収納状態を示した斜視図である。
【発明を実施するための形態】
【０００８】以下、本発明の実施の形態を説明する。
（ヘ）  シリコーンゴムの草履の足型（１）に、同素材で足の親指を入れるベルト（２）と足の他の指を入れるベルト（３）、かかと、ないしは足の甲にかけるベルト（４）を設ける。
（ト）  足の親指を入れるベルト（２）、足の他の指を入れるベルト（３）、かかと、ないしは足の甲にかけるベルト（４）をすべて１本の輪状（５）にすることで耐久性の向上を図る。
（チ）  足の親指を入れるベルト（２）、足の他の指を入れるベルト（３）、かかと、ないしは足の甲にかけるベルト（４）に伸縮性のある素材を使うことで収納時の止め具にも応用する。
（リ）  草履の足型（１）表面に三角点の切れ目（６）を入れ、それぞれのベルト（２）、（３）、（４）を順に差し込んでいき鼻緒を設ける。
（ヌ）  サンダル底（７）に少し厚めのシリコーンゴムの草履の足型（１）を１枚接着し、底部分とする。
本発明は以上のような構造である。
本発明を使用するときは、足の親指を入れるベルト（２）に足の親指を入れ、足の他の指を入れるベルト（３）に親指以外の４本の足指を入れる。
かかと、ないしは足の甲にかけるベルト（４）は足の甲にかけて履いても、かかとにかけて履いてもどちらでも良い。
収納するときは、サンダル底（７）を内側にしてくるくると巻き、足の親指を入れるベルト（２）と他の指を入れるベルト（３）を表面から裏側へまわし、止めベルトとする。
かかと、ないしは足の甲にかけるベルトは携帯時の持ち手となる。
【符号の説明】
【０００９】１  草履の足型
２  足の親指を入れるベルト
３  足の他の指を入れるベルト
４  かかと、ないしは足の甲にかけるベルト
５  １本の輪状
６  三角点の切れ目
７  サンダル底
【図１】
2011200621.tif 000003
【図２】
2011200621.tif 000004
【図３】
2011200621.tif 000005
(57)【要約】【課題】冷凍機がなくても手軽に皮膚を冷却することができる冷却シートを提供する。【解決手段】含水ジェル層３を有する冷却シート１であって、該含水ジェル層３の表面に通気性及び伝熱性を有する皮膚保護層４を形成し、該皮膚保護層４を皮膚に接触させて皮膚を冷却するようにした。例えば、皮膚保護層４として薄い熱伝導性シリコンスポンジを用いることができる。該スポンジ上には含水ジェル層３の水分の蒸発を抑止するために透明樹脂シートなどの剥離シートが設けられる。【選択図】図１
2011200703.tif 000002
【特許請求の範囲】
【請求項１】
含水ジェル層を有する冷却シートであって、
該含水ジェル層の表面に通気性及び伝熱性を有する皮膚保護層を形成し、該皮膚保護層を皮膚に接触させて皮膚を冷却するようにした冷却シート。
【請求項２】
前記皮膚保護層は熱伝導性シリコンスポンジであることを特徴とする請求項１に記載の冷却シート。
【発明の詳細な説明】
【技術分野】
【０００１】
本発明は、皮膚に炎症が起きたときなどに使用する冷却シートに関する。
【背景技術】
【０００２】
従来、人体や皮膚を冷却する方法として、氷などの冷媒が入った袋が知られている。湿疹ができて皮膚が炎症したときに上記袋を使用すると皮膚の赤みが減少する。しかし、アパートなどに一人で暮らしている人は、冷凍庫がない場合がある。また、冷蔵庫と冷凍庫が一室となっている冷却機が配置されている場合には、缶ビールなどを入れておくと冷凍庫として使用できず、冷凍庫として使用する場合には電気使用量が多くなる。さらに、冷蔵庫と冷凍庫が分離されている冷却機を使用している場合でも、氷を準備していない場合には、直ぐに皮膚を冷却することができない。
氷を用いる方法以外に、冷却ジェルシートを用いる方法が知られている（特許文献１参照）。具体的には、小林製薬社製の「熱さまシート（登録商標）」などが知られている。冷却ジェルシートは、不織布と高分子ゲルのジェルとを貼り合わせた構造になっており、ジェルに含まれた水分が蒸発する際に、蒸発熱により体温を低下させる。冷却ジェルシートは使用したいときに使用でき、冷凍機を必要としない。しかし、皮膚炎の箇所には使用してはならない旨の注意書きが記載されている。
【先行技術文献】
【特許文献】
【０００３】
【特許文献１】特開平２００６−９５２００号公報
【発明の概要】
【発明が解決しようとする課題】
【０００４】
本発明は上記事情に鑑みてなされたものであり、冷凍機がなくても手軽に皮膚を冷却することができる冷却シートを提供することを目的とする。
【課題を解決するための手段】
【０００５】
本発明者は、このような課題に対して鋭意研究を重ねた結果、冷却ジェルシートのジェル面上に、皮膚炎を悪化させない通気性と伝熱性のある層を形成することにより、手軽に皮膚炎の箇所にシートを接触させて皮膚を冷却することができることを見出し、本発明を完成するに至った。
本発明の冷却シートでは、含水ジェル層の表面に通気性及び伝熱性を有する皮膚保護層を形成し、該皮膚保護層を皮膚に接触させて皮膚を冷却するようにしたので、冷凍機がなくても手軽に皮膚を冷却することができる。上記伝熱層としては、例えば、薄い熱伝導性シリコンスポンジを用いることができ、当該スポンジ層上に透明樹脂シートなどの剥離シートを設ければよい。
【発明の効果】
【０００６】
本発明の冷却シートでは、含水ジェル層の表面に通気性及び伝熱性を有する皮膚保護層を形成し、該皮膚保護層を皮膚に接触させて皮膚を冷却するようにしたので、冷凍機がなくても手軽に皮膚を冷却することができる。
【図面の簡単な説明】
【０００７】
【図１】図１は、本発明の冷却シートの一実施形態を示す説明図である。
【図２】図２は、図１の透明樹脂シートを剥離させている状態を示す説明図である。
【発明を実施するための形態】
【０００８】
以下、本発明を実施するための最良の形態を図面を用いて説明する。
【０００９】
図１は、本発明の冷却シートの一実施形態を示している。図に示すように、本実施形態の冷却シート１は、不織布２の上に含水ジェル層３及び皮膚保護層４が形成されている。皮膚保護層４の上には透明樹脂シート５が設けられている。透明樹脂シート５は、含水ジェル層３の水分の蒸発を抑止できるシートであれば、シートの種類は特に限定されない。通常の湿布に使用されている透明シートを使用することができる。
皮膚保護層４は通気性及び伝熱性を有し、皮膚を冷却することができるようにされている。皮膚保護層４としては、例えば、熱伝導性シリコンスポンジの薄層を適用することができる。
冷却シート１を使用する際は、図２に示すように、透明樹脂シート５を剥離させて皮膚保護層４を皮膚に接触させる。冷却シート１を人体に固定するために、紙テープやゴムなどを使用することができる。
【００１０】
本実施形態の冷却シート１では、含水ジェル層３の表面に通気性及び伝熱性を有する皮膚保護層４を形成し、該皮膚保護層４を皮膚に接触させて皮膚を冷却するようにしたので、冷凍機がなくても手軽に皮膚を冷却することができる。特に、近年では温暖化によりダニなどによる虫さされが増加してきており、「バルサン（登録商標）」（ライオン社製）、「アースレッド（登録商標）」（アース製薬社製）などによる害虫の駆除が行われている実態を鑑みれば、本発明は有効である。毛虫などによるかぶれ、やけどによる皮膚のただれなどにも有効である。通常の湿布を貼付すると皮膚に異変を起こす人にとっても有効である。
【００１１】
本実施形態の冷却シート１では、含水ジェル層３の表面に通気性及び伝熱性を有する皮膚保護層４を形成し、該皮膚保護層４を皮膚に接触させて皮膚を冷却するようにしたので、冷凍機がなくても手軽に皮膚を冷却することができる。
以上、本発明を説明してきたが、本発明は上述した実施形態にのみ限定されるものではなく、その本質を逸脱しない範囲で、種々の変形が可能であることは言うまでもない。
【産業上の利用可能性】
【００１２】
本発明は、皮膚の炎症を抑止する冷却シートに利用することができる。
【符号の説明】
【００１３】
１  冷却シート
２  不織布
３  含水ジェル層
４  皮膚保護層
５  透明樹脂シート
【図１】
2011200703.tif 000003
【図２】
2011200703.tif 000004
【手続補正書】
【提出日】平成23年7月16日(2011.7.16)
【手続補正１】
【補正対象書類名】明細書
【補正対象項目名】０００３
【補正方法】変更
【補正の内容】
【０００３】
【特許文献１】特開２００６−９５２００号公報
(57)【要約】      （修正有）【課題】従来、鉢及びプランタの排水用の穴に用いられた栽培土等を流出させない中敷きを必要としないタイプの鉢及びプランターを提供する。【解決手段】植木鉢及びプランターの底面及び側面に微細な穴を設ける。【選択図】図３
2011200216.tif 000002
【特許請求の範囲】
【請求項１】
植木鉢の底面及び側面に微細な穴を設けた植木鉢及びプランター
【発明の詳細な説明】
【発明の詳細な説明】
【技術分野】
【０００１】  本発明は植木鉢及びプランターの排水の穴に関するものである
【背景技術】
【０００２】  従来の植木鉢及びプランターは底面に排水用の大きな穴が開いていて土等が流出しないように中敷きを必要とした、
【発明が解決しようとする課題】
【０００３】  本発明は鉢及びプランターの底に中敷きを用いなくても  水は排水しても土等は流出しないようにしたものである。
【０００４】  この課題を解決するために請求項１の発明は植木鉢及びプランターの地面に接する底面及び側面に  水は通すが土等は流出しない程度の微細な穴を複数設ける、穴の形状は円でも筋状でも良い。
【発明を実施するための最良の形態】
【０００５】  本発明を使用する時は中敷きを用いなくても良いので植物に合った土等をそのまま入れ植採する、鉢の底面が出来るだけ地面に接するように置く  もしくは鉢の底が土の中に少し埋まるように置くと  毛細管現象で排水性も良くなり  水分が不足しているときは地中の水分を吸収出来る【０００６】  本発明を使用する事により中敷きを置かなくても  土等の流出が無く保水性も良くなり、側面にも微細な穴があるため土中の通気性も良くなる、鉢の底を少し地中に設置する事により鉢から外に植物の根は伸びて行けないが  路地に植えたのと同様に水管理が楽になる。篠竹等を植えた場合増殖力が強く根がいくらでも伸びていくのを本発明の鉢に植えて地中に設置しておけば手入れや管理が楽になる、本発明にかかる鉢及びプランターは  工業的に量産することが可能で産業上の利用可能性を有する。
【図面の簡単な説明】
【０００７】
【図１】  本発明の側面図
【図２】  本発明の底面図
【図３】  本発明の斜視図
【符号の説明】
【０００８】  ▲１▼  鉢  及びプランター
▲２▼  点状の微細な穴
▲３▼  筋状の微細な穴
【図１】
2011200216.tif 000003
【図２】
2011200216.tif 000004
【図３】
2011200216.tif 000005
(57)【要約】      （修正有）【課題】釣り糸は丈夫になり、より細い糸を使用する傾向にある。また、針も魚により一層近づけるため小さくなっている。それ故、釣り場での針の結束作業が難しくなって来ている。更に釣行では携帯用針結び器の収納に難があり、針の結束を容易に、かつ収納にも困らない針結び器付き釣り糸ケースを提供する。【解決手段】釣行に必需品である釣り糸のケースの一部に針結び補助具を設けることで装備における荷物の軽減になると共に、簡単かつ広い糸通し口で悪天候時でも結束作業が迅速に行える。【選択図】図１
2011200215.tif 000002
【特許請求の範囲】
【請求項１】
糸巻きケースの一部に針結び補助具を設けた。
【請求項２】
糸通し口を大きくした。
【発明の詳細な説明】
【技術分野】
【０００１】  本発明は釣り場で針結束作業の簡単、迅速化を図った針結び補助具付糸巻きケースに関する。
【背景技術】
【０００２】  従来の針結び器は単体のものであり、卓上用のもの（例えば［特許文献１］参照）や釣り場への携帯には乾電池式のもの（例えば［非特許文献１］参照）がある。
【先行技術文献】
【０００３】
【特許文献１】特許公開２００１−１１２３９０
【０００４】
【非特許文献１】ＰＡＮＡＳＯＮＩＣ  ［ＢＨ−７１４］
【発明の概要】
【発明が解決しようとする課題】
【０００５】  以上に述べた従来の針結び器は単体であり  釣り場へ携帯するのに重かったり大きかった。【０００６】  悪天時、水に弱い。
【課題を解決するための手段】
【０００７】  上記課題を解決するための手段は、携帯必需品である釣り糸のケースの一部を利用する。【０００８】  糸を通す穴を大きくし作業を潤滑に行える。
【発明の効果】
【０００９】  強風、雨、しぶきなどの悪条件時にも簡単に作業できる。【００１０】  荷物が軽減できる。
【図面の簡単な説明】
【００１１】
【図１】−１）本発明の実施形態の側面図  −２）同全体図
【図２】断面図
【発明を実施するための形態】
【００１２】  以下、本発明の実施形態を図１−１、−２に基づいて説明する。
【００１３】  図１−１，図１−２においては、ピンスライドボタン  １を上へスライドさせ、糸通しピン  ２を押し出し、針装着穴  ３へ針  ４を立てる。糸止め  ５より糸の先を引き出し糸通しピン  ２と針  ４に糸を巻く  ６。糸通し口  ７より糸の先を通す  ８。糸の先  ８を引きながらピンスライドボタン  １を下へスライド収納させゆっくりと締め付けていく。
【符号の説明】
【００１５】図１−２−１  ピンスライドボタン
図１−２  糸通しピン
図１−３  針装着穴
図１−４  針
図１−５  糸止め
図１−６  糸を巻いた状態
図１−７  糸通し口
図１−８  糸の先が通った状態
【図１】
2011200215.tif 000003
【図２】
2011200215.tif 000004
(57)【要約】【課題】  野菜、花等の植物のつるを、園芸棒に巻きつかせるための作業の、手間、時間、労力を簡単に楽にすることができる、リング付き楽ラク園芸棒を提供する。【解決手段】  つる性の野菜、花等の植物のつるを園芸棒に巻きつけやすくするための園芸棒で、一本の園芸棒の数か所に固定のリング（２）が製造過程の段階から設けられ、園芸棒のリング（２）に既存の園芸棒を挿通することで連接されて組み合わさり、つるを巻きつかせる園芸棒が組み立てられて、つる性野菜、花等の植物のつるが、生長に合わせて巻きついていく、リング付き楽ラク園芸棒である。【選択図】図３
2011200217.tif 000002
【特許請求の範囲】
【請求項１】
一本の園芸棒（１）数ヶ所に固定のリング（２）を設け、この１つ１つのリング（２）に既存の園芸棒を挿通することで連接され組み合わさって、つるを巻きつかせるための園芸棒が組み立てられて、つるが巻きやすくするためのリング付き楽ラク園芸棒。
【発明の詳細な説明】
【技術分野】
【０００１】  本発明は、畑で胡瓜、豆類、ゴーヤなど、つる性のある作物を、巻きつかせるための園芸棒に関するものである。
【背景技術】
【０００２】  従来、巻きつけ用の枝材とするために、園芸棒（品名  新ねぶし）などを組み合わせて紐で結び、固定してつるが巻くようにしていたのである。
【発明の開示】
【発明が解決しようとする課題】
【０００３】  そのために、次のような欠点があった。
つるが巻くようにするには、園芸棒を縦横と組んで紐等で結んで固定していくが、手間、労力、時間がかかり、時期が終われば結んだ紐等を取り外し解体するのに又手間、労力、時間を費やし、夏の炎天下での作業が大変であった。
本発明は以上のような欠点をなくすためになされたものである。
【課題を解決するための手段】
【０００４】  つる性野菜、植物を園芸棒に巻きつかせるためのリング付き楽ラク園芸棒であって、製造過程の段階で一本の園芸棒（１）の数ヶ所に固定されたリング（２）が設けてあり、この１つ１つのリング（２）に既存の園芸棒を挿通することで連接され組み合わさって、つるを巻きつかせるための園芸棒が組み立てられる。
本発明は以上の構造によりなるリング付き楽ラク園芸棒である。
【発明の効果】
【０００５】  本発明は、既存の園芸棒をリング付き楽ラク園芸棒の各リング（２）に挿通することで簡単に連接し、つるを巻きつかせるための園芸棒が組み立てられ、つるが巻きやすくなる。紐等で結ぶ作業、解体する作業に紐等を取り外すわずらわしさから解放される。
【発明を実施するための最良の形態】
【０００６】  以下、本発明の実施するための最良の形態について説明する。
（イ）  園芸棒（１）を製造する段階で数か所に固定されたリング（２）を設けてある。
本発明は以上のような構造で、これを使用するときは、
園芸棒（１）の数か所にあるリング（２）付き楽ラク園芸棒を間隔をとって土に挿し、各リング（２）に既存の園芸棒を挿通することで連接されて組み合わさり、つるを巻きつかせる園芸棒が組み立てられ、生長に合わせてつるが巻き付く。
つる巻きの準備、時期が終われば片づける作業が楽になり、保管も場所を取らずに便利である。
本発明は、このような構造によりなっている。
本発明を使用するときは、リング（２）に既存の園芸棒を挿通し、終了時は抜き取り、すべての作業が簡単に楽にできる。
【図面の簡単な説明】
【０００７】
【図１】本発明の斜視図
【図２】本発明の分解斜視図
【図３】本発明の使用組立状態を示す斜視図
【記号の説明】
【０００８】１  園芸棒
２  リング
３  既存の園芸棒
【図１】
2011200217.tif 000003
【図２】
2011200217.tif 000004
【図３】
2011200217.tif 000005
(57)【要約】      （修正有）【課題】従来の木刀は、剣道形の練習や単に筋力アップを目的として作られている。これは古来の真剣による剣術に由来するものであり、現代の剣道修行者にとってそれなりの効果はあるが、現代の竹刀のみを使用する剣道試合ではその効果に於いて物足りない。本発明は、有効打突技術を向上させる素振り用の木刀を提供する。【解決手段】柄の部分の断面を正円にし、刀身は先端に行くほど重くし、刀身に大きな反りを加えることで、この木刀を使用して素振りをする事により竹刀を使った剣道試合に於いて左手の小指及び薬指の握りのずれをなくし、打突の瞬時、両手での柄の絞りは強く、速く、かつ、正確になり、しっかりと竹刀の刃の部分で打つことが出来、打った後も腕が良く伸びる。これによって有効打突となり勝利を得ることが出来る。【選択図】図３
2011200345.tif 000002
【特許請求の範囲】
【請求項１】
柄の部分の断面が正円である木刀で刀身は先に行くほど太く重くした木刀。
【請求項２】
柄の部分の断面の径に対して先端部分の断面の径を１.２倍から２.４倍とした請求項１記載の木刀。
【請求項３】
刀身の反り（曲がり）は、全長に対して２％から１８％に大きくした請求項１及び２記載の木刀。
【発明の詳細な説明】
【技術分野】
【０００１】
本発明は、剣道の修行をする者が使用する素振り用木刀に関する。
【背景技術】
【０００２】
従来の木刀は、主に二つの目的を持った物が作られている。
【０００３】
一つは、真剣を模造し柄の部分の断面は瓜実形をなし、刀身部分も若干刃部は薄くなっているがほぼ瓜実形の断面をしている。そして剣先に行くほど細く軽くなっている。刀身の反りも全長の1％程でほぼ直線に近い。主に剣道形の練習に使用されている。長さは１０２ｃｍ。全体の重量は、５００g程度である。（図１参照）
【０００４】
もう一つは、素振り用に使用するため、筋力アップを目的として全体の重量を重くしている物、あるいは柄の部分は細いが刀身部分を重くしている物。この場合も柄の断面は瓜実形をなし刀身の反りは無い。長さは色々有り全体の重量は、１kｇを超える。（図２参照）
【先行技術文献】
【特許文献】
【０００５】
【特許文献１】特開２００８―９９８６９号公報
【発明の概要】
【発明が解決しようとする課題】
【０００６】
以上に述べた従来の木刀は、単に剣道形の練習及び昇段審査時の剣道形の披露に使用するもの。（剣道形の練習も意義はある。）あるいは筋力アップを目的として素振り用に作られたものである。先端に行くほど刀身の断面を太くした木刀が提案されている。（例えば特許文献１参照）この木刀は確かに筋力アップには効果があるが剣道技術のアップはあまり期待出来ない。
【０００７】
現代の剣道は竹刀を使った打突により勝敗が決する。勝敗を決める有効打突は、力まかせの強打ではなく、竹刀の刃とする部分が正確に相手の打突部位にあたり、そして打った腕は即座に伸びていなければならない。先に述べた従来の木刀ではこの技術を養う事は出来ない。
【０００８】
本発明は、このような有効打突技術を向上させるべく考案した画期的な素振り用の木刀である。
【課題を解決するための手段】
【０００９】
そして本発明は、上記目的を達成する為に、剣道家達が従来から持つ木刀に対する常識的概念を覆し、柄の部分の断面は正円で直径は竹刀のサイズとほぼ同じとし剣先に行くほど大きく、そして重くする。（柄以外の刀身の断面は正円でなくともよい。）刀身の反り、つまり木刀の曲がりは、木刀の全長の２％から１８％の範囲とする。
【００１０】
上記課題解決手段による作用は次の通りである。
木刀を持って素振りをし、打突部位で瞬時に木刀を止めた時、柄の断面が正円であれば木刀が手の内で滑り回りやすい。又、木刀に大きな反りがあれば尚回りやすくなる。そして剣先が重いと一層回りやすくなる。木刀が回ってしまえば刃筋は傾き正しい打突が出来ない。
【００１１】
本発明の木刀で正しい素振りをする為には打突を止めた瞬時、左手の小指と薬指で強く柄を握る力と両手で強く正しく柄を絞る力が従来の木刀に比べて数倍必要になる。その為、この発明の木刀で素振りすることにより一段と正しい打突技術が身に付く。尚、この木刀で素振りをする時、剣道試合用の籠手をはめて行うと手の内で木刀が一層滑りやすく本木刀を使った素振りの効果が一段と高まる。
【発明の効果】
【００１２】
上記課題解決手段による技術的効果は次の通りである。
本発明木刀による左右面、左右胴、籠手の素振りをする事により、左手小指及び薬指の竹刀を握る力を強くし、打突した時の両手の絞りが強く正しくなり、竹刀を使った剣道試合において狙った相手の部位を正しい刃筋ですばやく正確に打突出来、打突後はまっすぐに腕を伸ばすことが出来る。
【００１３】
すなわち剣道で言う“手の内”が一段と向上する。そのため言うまでもなく打突速度が速くなり、打突後瞬時に手、腕、肩の力が抜け素早く次の動作に移る事が出来る。
【００１４】
本発明は、長年剣道を続けてきた人でも実際に本木刀を振って見なければ納得出来ない。想像だけではまず思いつくことは出来ない。
【００１５】
又、この技術は居合道の訓練にも、又、柄の部分を長くする事により薙刀の訓練用として応用する事が出来る。
【図面の簡単な説明】
【００１６】
【図１】従来の木刀の正面と断面の説明図。（その１）
【図２】従来の木刀の正面と断面の説明図。（その２）
【図３】本発明の木刀の正面と断面の説明図。
【発明を実施するための形態】
【００１７】
本発明木刀の柄の断面直径は、小学生から大人までが使用する各サイズの竹刀の柄の断面直径とほぼ同径とし、正円とする。刀身は大きく反り（全長の２％から１８％）、剣先に行くほど太くする。（当然剣先に行くほど重くなる。）刀身部分の断面形状は特に規定しないが、考えられる断面形状を図３に示す。木刀の全長は使用する者の体力と技量に合わして５０ｃｍから２００ｃｍとし、木刀の全重量も同様に２００ｇから１５００ｇとする。
【００１８】
上記柄の断面、刀身の反り、剣先の重さ、全長そして全重量を組み合わせて製作することで使用者に最適の長さ、重さ及びバランスを有する木刀が選択できる。
【符号の説明】
【００１９】
１  従来の木刀その１の柄の部分の形状を表す断面
２  同刀身の部分の形状を表す断面
３  同刀身の反り
４  従来の木刀その２の柄の部分の形状を表す断面
５  同刀身の部分の形状を表す断面
６  同刀身の反り
７  発明木刀の柄の部分の形状を表す断面
８  同刀身の部分の形状を表す断面（６種類）
９  発明木刀の刀身の反り
【図１】
2011200345.tif 000003
【図２】
2011200345.tif 000004
【図３】
2011200345.tif 000005
【手続補正書】
【提出日】平成22年9月17日(2010.9.17)
【手続補正１】
【補正対象書類名】特許請求の範囲
【補正対象項目名】全文
【補正方法】変更
【補正の内容】
【特許請求の範囲】
【請求項１】
柄の部分の断面は正円で、刀身は先に行くほど太く重くして、刀身の反り（曲がり）を全長に対して２％以上１８％以下とした素振り用木刀。